(57)【要約】【課題】  光ファイバ線路における光ファイバの障害発生情報を自動的に取得し、当該光ファイバの試験を自動で行うことができる、光ファイバ線路自動監視システムを提供する。【解決手段】  ネットワーク監視装置１０は、モニタユニット５から、光信号伝送装置４の機器監視情報を受信し、この機器監視情報を基に、障害が発生した光ファイバ線路１と光ファイバ３を判定し、光ファイバ３の障害発生情報をアラーム信号として光ファイバ線路自動監視システム２０に送信する。光ファイバ線路自動監視システム２０では、ネットワーク監視装置１０から受信したアラーム信号中の障害発生情報を基に、試験対象となる光ファイバ３を選択し（例えば、光スイッチとカプラフィルタを使用する）、当該試験対象の光ファイバ３に対してＯＴＤＲ試験を行い、光ファイバ３における障害発生位置を特定する。【選択図】  図１
2007071573.tif 000002
【特許請求の範囲】
【請求項１】
光ファイバ線路（１）内の光ファイバ（３）を選択し、選択した光ファイバに試験用の光パルスを注入してＯＴＤＲ波形を観測することにより障害位置を判定する光ファイバ線路自動監視システム（２０）であって、
通信エラーを検知する検知するネットワーク監視装置（１０）から、障害が発生した光ファイバの情報をアラーム信号として受信するアラーム信号受信部（３１）と、
前記アラーム信号受信部により受信したアラーム信号に含まれる障害発生情報を基に、異常が発生した光ファイバを特定し、試験対象の光ファイバを選択する試験対象光ファイバ選択部（３２）と、
前記試験対象光ファイバ選択部により選択した光ファイバに対し、試験用の光パルスを注入しＯＴＤＲ波形を観測する光ファイバ試験部（３３）と、
前記光ファイバ試験部による試験結果を基に、光ファイバの障害発生位置を判定する光ファイバ障害位置判定部（３４）と
を備えることを特徴とする光ファイバ線路自動監視システム。
【請求項２】
前記ネットワーク監視装置は、
光ファイバ線路網内の所定の光信号伝送装置（４）に設備され当該光信号伝送装置における機器動作状態を監視するモニタユニット（５）から、該光信号伝送装置の機器監視情報を受信するモニタユニット信号受信部（１３）と、
前記モニタユニット信号受信部により受信した機器監視情報を基に異常と判定された通信網の情報をアラーム信号として光ファイバ線路自動監視システムに送信するアラーム信号送信部（１５）と
を備えることを特徴とする請求項１に記載の光ファイバ線路自動監視システム。
【請求項３】
光ファイバ線路内の光ファイバを選択し、選択した光ファイバに試験用の光パルスを注入してＯＴＤＲ波形を観測することにより障害位置を判定する光ファイバ線路自動監視システムであって、
光ファイバ線路網内の所定の光信号伝送装置に設備され当該光信号伝送装置における機器動作状態を監視するモニタユニットから、該光信号伝送装置の機器監視情報を受信するモニタユニット信号受信部と、
前記モニタユニット信号受信部により受信した機器監視情報を基に、障害が発生した光ファイバを判定する光ファイバ異常判定部と、
前記光ファイバ異常判定部により異常と判定された光ファイバを、試験対象の光ファイバとして選択する試験対象光ファイバ選択部と、
前記試験対象光ファイバ選択部により選択した光ファイバに対し、試験用の光パルスを注入しＯＴＤＲ波形を観測する光ファイバ試験部と、
前記光ファイバ試験部による試験結果を基に、光ファイバの障害発生位置を判定する光ファイバ障害位置判定部と
を備えることを特徴とする光ファイバ線路自動監視システム。
【請求項４】
前記光ファイバの試験結果を表示部（２２）のモニタ画面上に表示する試験結果表示部（３５）を
備えることを特徴とする請求項１から３のいずれかに記載の光ファイバ線路自動監視システム。
【請求項５】
前記光ファイバの試験結果から、障害位置を判定し、該異常箇所を表示部のモニタ画面上にマップ表示する異常発生位置表示部（３６）を
備えることを特徴とする請求項１から４のいずれかに記載の光ファイバ線路自動監視システム。
【請求項６】
光ファイバ線路内の光ファイバを選択し、選択した光ファイバに試験用の光パルスを注入してＯＴＤＲ波形を観測することにより障害位置を判定する光ファイバ線路自動監視システムにおける光ファイバ線路の自動監視方法であって、
前記光ファイバ線路自動監視システム内の制御部（２１）により、
光ファイバ線路中の光ファイバの障害発生を検知するネットワーク監視装置から、障害が発生した光ファイバの情報をアラーム信号として受信するアラーム信号受信手順と、
前記アラーム信号受信手順により受信したアラーム信号に含まれる障害発生情報を基に、異常が発生した光ファイバを特定し、試験対象の光ファイバを選択する試験対象光ファイバ選択手順と、
前記試験対象光ファイバ選択手順により選択した光ファイバに対し、試験用の光パルスを注入しＯＴＤＲ波形を観測する光ファイバ試験手順と、
前記光ファイバ試験手順による試験結果を基に、光ファイバの障害発生位置を判定する光ファイバ障害位置判定手順と
が行われることを特徴とする光ファイバ線路の自動監視方法。
【発明の詳細な説明】
【技術分野】
【０００１】
本発明は、光ファイバ線路における通信障害発生時に、その障害の復旧時間を大幅に短縮することができる、光ファイバ線路自動監視システム、および自動監視方法に関するものである。
【背景技術】
【０００２】
近年、ＣＡＴＶ（Cable Television）網の普及やインターネットのブロードバンド化など、通信の高速・大容量化に伴い、光ファイバケーブルを使用した光ファイバ線路網が全国規模で普及しつつある。このため光ファイバ線路の信頼性の維持のために、その監視システムの重要性が増している。以下、現在の光ファイバ線路の監視システムの例について説明する。
【０００３】
光ファイバ線路網において、通信障害が発生した場合、数千心の光ファイバが集合した光中継接続装置の中から障害が発生している光ファイバ線路に光パルス試験装置を接続してＯＴＤＲ（Optical Time Domain Reflector）波形を観測することにより、光ファイバ線路中の光ファイバの障害位置と内容を探索している（例えば、特許文献１、２参照）。すなわち、光パルス試験装置と監視対象となる光ファイバ線路との接続は人手により行われている。しかし、１回のＯＴＤＲ測定には約１分以上かかるので、障害対応を迅速にするためには、障害が発生してから光ファイバ線路に光パルス試験装置を接続するまで時間を短縮する必要がある。
【０００４】
また、従来における光ファイバ線路の監視システムでは、自動心線切替装置（メカニカルな光スイッチ）により、光ファイバ線路に接続されている方向性結合器と、ＯＴＤＲの試験端を選択的に接続することも行われている。
【０００５】
一例として、図６に、従来の光ファイバ線路を監視する光線路監視システムの構成例を示す。図６に示す光線路監視システムは、保守センタ１１０の管理サーバ１１１が、通信回線１００を介して光線路監視装置１２０が通信可能に接続されている。光線路監視装置１２０は、試験対象となる光ファイバ線路１内の光ファイバ３の試験と故障判定を自動で行う装置であり、光線路監視装置１２０内には、光線路監視装置１２０の全体を制御するコントローラ１２１と、後方錯乱光を利用して光ファイバの損失の測定や故障及び故障箇所の検知を行なうＯＴＤＲ試験装置（光源を含む）１２２と、試験する光ファイバを切り替える光スイッチ（光ＳＷ）１２３と、ＯＴＤＲ試験のために試験光パルスを注入するカプラフィルタ１２４とを備えている。したがって、図６に示した光線路監視装置１２０を使用すれば、光ファイバ線路１における障害発生から、光ファイバ３の障害位置の探索までの時間はかなり短縮されるが、障害発生から光パルス試験開始までの時間を短縮することが望ましい。
【０００６】
一方、ブロードバンドでは回線状況を監視するステータスモニタ装置（ネットワーク監視装置）を使用し、通信状態を常時把握することにより通信障害が発生した場合、それを自動警報として出力する機能を有している。また、全国にある多くのＣＡＴＶシステムは、幹線に光ファイバ線路を使いユーザの端末までの一部に同軸ケーブルを使うＨＦＣシステムがある。このようなＣＡＴＶシステムは、障害発生時にはステータスモニタ装置から自動的に警報信号を発生するものである。
【０００７】
例えば、図７のＣＡＴＶ網の構成例に示すように、ＣＡＴＶ網２１０は、光ファイバ線路網６と同軸網２１１とで構成され、ＣＡＴＶセンタ２００の放送波送出装置２０１から送出される画像信号は、ヘッドエンド２０３を介して、光ファイバ線路網６内の光ファイバ線路１、中継増幅器等の光信号伝送装置４、および同軸網２１１を通して、各家庭２０４に届けられる。また、光信号伝送装置４のいくつか（または全部）には、モニタユニット５が設備されている。モニタユニット５、例えば、光信号伝送装置４における受信信号レベルや、動作状態などを計測し、機器監視情報としてステータスモニタ装置２０２に送信する。ステータスモニタ装置２０２では、表示部（図示せず）のモニタ画面上に光信号伝送装置４における動作状態を表示するとともに、光ファイバ線路１に異常が生じているか否かの故障判定を行う。そして、光ファイバ線路１の障害発生時にはステータスモニタ装置２０２から自動的に警報信号が発生する。
【特許文献１】特開２０００−３２１１７０号公報
【特許文献２】特許第３５８５６８０号明細書
【発明の開示】
【発明が解決しようとする課題】
【０００８】
以上、説明したように、従来の技術では、光ファイバ線路の監視にＯＴＤＲを用いた光線路監視装置と、ＣＡＴＶネットワーク等の監視に用いられているステータスモニタ装置とはそれぞれ独立したシステムである。
ステータスモニタ装置はＣＡＴＶセンタ局とモニタユニット間の光ファイバ線路で通信の障害が発生しているか否かの監視は行えるが、障害が光信号伝送装置（例えば、中継増幅器、光信号伝送中継装置、電源装置等）によるものか、光ファイバ線路によるものかの識別はできない。一方光線路監視システムでは、光ファイバ線路の光ファイバに発生した障害を発見することはできるが、測定するために一定以上の時間を要する問題がある。
【０００９】
本発明はこのような問題を解決するためになされたもので、その目的は、光ファイバ線路の障害発生情報を取得して当該光ファイバ線路の試験を行うことにより、光ファイバ線路内の光ファイバの障害発生位置を迅速に特定することができる、光ファイバ線路自動監視システム、および自動監視方法を提供することにある。
【課題を解決するための手段】
【００１０】
前記課題を解決するために、本発明の光ファイバ線路自動監視システムは、光ファイバ線路内の光ファイバを選択し、選択した光ファイバに試験用の光パルスを注入してＯＴＤＲ波形を観測することにより障害位置を判定する光ファイバ線路自動監視システムであって、通信エラーを検知するネットワーク監視装置から、障害が発生した光ファイバの情報をアラーム信号として受信するアラーム信号受信部と、前記アラーム信号受信部により受信したアラーム信号に含まれる障害発生情報を基に、異常が発生した光ファイバを特定し、試験対象の光ファイバを選択する試験対象光ファイバ選択部と、前記試験対象光ファイバ選択部により選択した光ファイバに対し、試験用の光パルスを注入しＯＴＤＲ波形を観測する光ファイバ試験部と、前記光ファイバ試験部による試験結果を基に、光ファイバの障害発生位置を判定する光ファイバ障害位置判定部とを備えることを特徴とする。
このような構成により、光ファイバ線路自動監視システムは、ネットワーク監視装置から、光ファイバ線路の光ファイバ（光ファイバ心線）の障害発生情報をアラーム信号として受信する。そして、アラーム信号に含まれる障害発生情報を基に、試験対象となる光ファイバを選択する（例えば、光スイッチを使用する）。そして、試験対象の光ファイバに対してＯＴＤＲ試験を行い、光ファイバの障害発生位置を特定する。
これにより、ネットワーク監視装置側で検出した光ファイバの異常情報を光ファイバ線路自動監視システム側で使用し、障害の発生している光ファイバの障害発生位置を迅速に特定することができる。
【００１１】
また、本発明の光ファイバ線路自動監視システムは、前記ネットワーク監視装置は、光ファイバ線路網内の所定の光信号伝送装置に設備され当該光信号伝送装置における機器動作状態を監視するモニタユニットから、該光信号伝送装置の機器監視情報を受信するモニタユニット信号受信部と、前記モニタユニット信号受信部により受信した機器監視情報を基に異常と判定された通信網の情報をアラーム信号として光ファイバ線路自動監視システムに送信するアラーム信号送信部とを備えることを特徴とする。
このような構成により、光信号伝送装置（例えば、ＣＡＴＶネットワークの中継増幅器や、ＴＣＰ／ＩＰネットワークのルータ等）にモニタユニットを設備し、当該光信号伝送装置における信号受信レベルや動作状態等を監視する。ネットワーク監視装置は、モニタユニットから機器監視情報を受信し、この機器監視情報を基に、障害が発生した光ファイバを判定し、光ファイバの障害発生情報を含むアラーム信号を光ファイバ線路自動監視システムに送信する。
これにより、ネットワーク監視装置側で検出した光ファイバの異常情報を光ファイバ線路自動監視システム側で使用し、障害の発生している光ファイバの障害発生位置を迅速に特定することができる。
【００１２】
また、本発明の光ファイバ線路自動監視システムは、光ファイバ線路内の光ファイバを選択し、選択した光ファイバに試験用の光パルスを注入してＯＴＤＲ波形を観測することにより障害位置を判定する光ファイバ線路自動監視システムであって、光ファイバ線路網内の所定の光信号伝送装置に設備され当該光信号伝送装置における機器動作状態を監視するモニタユニットから、該光信号伝送装置の機器監視情報を受信するモニタユニット信号受信部と、前記モニタユニット信号受信部により受信した機器監視情報を基に、障害が発生した光ファイバを判定する光ファイバ異常判定部と、前記光ファイバ異常判定部により異常と判定された光ファイバを、試験対象の光ファイバとして選択する試験対象光ファイバ選択部と、前記試験対象光ファイバ選択部により選択した光ファイバに対し、試験用の光パルスを注入しＯＴＤＲ波形を観測する光ファイバ試験部と、前記光ファイバ試験部による試験結果を基に、光ファイバの障害発生位置を判定する光ファイバ障害位置判定部とを備えることを特徴とする。
このような構成により、光ファイバ線路の光信号伝送装置（例えば、ＣＡＴＶネットワークの中継増幅器や、ＴＣＰ／ＩＰネットワークのルータ等）に設備したモニタユニットにより、当該光信号伝送装置における信号受信レベルや機器動作状態等を監視し、このモニタユニットからの機器監視情報を、光ファイバ線路自動監視システムで受信する。光ファイバ線路自動監視システムでは、モニタユニットから受信した機器監視情報を基に、障害が発生した光ファイバを判定し、試験対象となる光ファイバを選択する（例えば、光スイッチを使用する）。そして、試験対象の光ファイバに対してＯＴＤＲ試験を行い、光ファイバの障害発生位置を特定する。
これにより、モニタユニットの機器監視情報を光ファイバ線路自動監視システム自身が取り込むことができ、ネットワーク監視装置の機能を光ファイバ線路自動監視システムで実現することができる。このために、障害の発生している光ファイバの障害発生位置を迅速に特定することができる。
【００１３】
また、本発明の光ファイバ線路自動監視システムは、前記光ファイバの試験結果を表示部のモニタ画面上に表示する試験結果表示部を備えることを特徴とする。これにより、光ファイバに障害が発生した場合に、モニタ画面を見ることにより、障害発生状況を容易に把握できるようになる。
【００１４】
また、本発明の光ファイバ線路自動監視システムは、前記光ファイバの試験結果から、障害位置を判定し、該異常箇所を表示部のモニタ画面上にマップ表示する異常発生位置表示部を備えることを特徴とする。これにより、光ファイバに障害が発生した場合に、モニタ画面を見ることにより、障害発生状況と、障害発生位置を容易に把握できるようになる。
【００１５】
また、本発明の光ファイバ線路の自動監視方法は、光ファイバ線路内の光ファイバを選択し、選択した光ファイバに試験用の光パルスを注入してＯＴＤＲ波形を観測することにより障害位置を判定する光ファイバ線路自動監視システムにおける光ファイバ線路の自動監視方法であって、前記光ファイバ線路自動監視システム内の制御部により、光ファイバ線路中の光ファイバの障害発生を検知するネットワーク監視装置から、障害が発生した光ファイバの情報をアラーム信号として受信するアラーム信号受信手順と、前記アラーム信号受信手順により受信したアラーム信号に含まれる障害発生情報を基に、異常が発生した光ファイバを特定し、試験対象の光ファイバを選択する試験対象光ファイバ選択手順と、前記試験対象光ファイバ選択手順により選択した光ファイバに対し、試験用の光パルスを注入しＯＴＤＲ波形を観測する光ファイバ試験手順と、前記光ファイバ試験手順による試験結果を基に、光ファイバの障害発生位置を判定する光ファイバ障害位置判定手順とが行われることを特徴とする。
このような手順により、光ファイバ線路自動監視システムは、ネットワーク監視装置から、光ファイバ線路の光ファイバ（光ファイバ心線）の障害発生情報をアラーム信号として受信する。そして、アラーム信号に含まれる障害発生情報を基に、試験対象となる光ファイバを選択する（例えば、光スイッチを使用する）。そして、試験対象の光ファイバに対してＯＴＤＲ試験を行い、光ファイバの障害発生位置を特定する。
これにより、ネットワーク監視装置側で検出した光ファイバの異常情報を光ファイバ線路自動監視システム側で使用し、障害の発生している光ファイバの障害発生位置を迅速に特定することができる。
【発明の効果】
【００１６】
本発明においては、光ファイバ線路自動監視システムが、ネットワーク監視装置側で検出された光ファイバの障害発生情報を受信し、障害が発生している光ファイバを自動的に試験するようにしたので、光ファイバの障害発生位置を迅速に特定することができる。
また、光信号伝送装置（例えば、ＣＡＴＶネットワークの中継増幅器や、ＴＣＰ／ＩＰネットワークのルータ等）から障害発生情報を光ファイバ線路自動監視システム自身が取り込むことにより、ネットワーク監視装置の機能を光ファイバ線路自動監視システムによって実現することが可能である。
【発明を実施するための最良の形態】
【００１７】
次に本発明を実施するための最良の形態について図面を参照して説明する。
図１は、本発明による光ファイバ線路自動監視システムの概要を説明するための図である。図１において、光ファイバ線路１は、１または複数の光ファイバケーブル２で構成された通信路であり、光ファイバケーブル２には複数の光ファイバ（光ファイバ心線）３が収納されている。この光ファイバ線路１は、例えば、ＣＡＴＶ網における中継増幅器や、ＴＣＰ／ＩＰネットワークにおけるルータ等である光信号伝送装置４に接続されており、ＣＡＴＶの映像信号やデジタルのパケット信号などを光信号として伝送する。そして、光信号伝送装置４には、モニタユニット５が設けられており、光信号伝送装置４における受信信号レベルの計測や、機器の動作状態等を監視している。
ここで、本発明においては、光ファイバ線路とは１または２以上の光ファイバケーブルを使用した光通信路を意味し、光ファイバとは光ファイバケーブル中の光ファイバ心線を意味し、光ファイバ線路網とは、光ファイバ線路で構成された光通信網を意味している。
【００１８】
モニタユニット５における計測・監視信号は、機器監視情報としてネットワーク監視装置１０に送信される。ネットワーク監視装置１０は、モニタユニット５から受信した機器監視信号を基に、光信号伝送装置４および光ファイバ線路１に障害が発生しているか否かを常時判定している。
【００１９】
光ファイバ線路１の光ファイバ３に障害が発生した場合には、光信号伝送装置４の信号レベルに異常が生じ、この情報が、モニタユニット５を通してネットワーク監視装置１０に送信される。ネットワーク監視装置１０は、通信エラーを検知して、光ファイバ線路１の光ファイバ３に障害が発生したことを検知する。そして、光ファイバ３に異常が生じたことを、当該異常が生じた光ファイバ３を特定するための情報とともにアラーム情報として光ファイバ線路自動監視システム２０に送信する。
なお、ネットワーク監視装置１０から光ファイバ線路自動監視システム２０へのアラーム信号の送信は、ＴＣＰ／ＩＰネットワークのルータを介して行う場合、ＳＮＭＰ（Simple Network Management Protocol、簡易ネットワーク管理プロトコル）のＴｒａｐ（トラップ）によりアラーム信号を送信することで行われる。
【００２０】
光ファイバ線路自動監視システム２０は、ネットワーク監視装置１０からアラーム信号を受信すると、アラーム信号中の障害発生情報により特定された光ファイバ３を光ファイバケーブル２から選択し、ＯＴＤＲによる試験を行い、光ファイバ３の障害発生位置を判定する。この光ファイバ３のＯＴＤＲによる試験情報は、表示部２２のモニタ画面上に表示される。また、光ファイバの障害発生位置の情報をモニタ画面の地図上にマップ表示することもできる。
このようにして、本発明の光ファイバ線路自動監視システム２０においては、ネットワーク監視装置１０で検出した光ファイバ線路１および光ファイバ３のアラーム情報（障害発生情報）を光ファイバ線路自動監視システム２０側で使用し、障害が発生している光ファイバ３を自動的に試験することにより、障害の発生している範囲を迅速に特定することができる。
【００２１】
なお、図１に示す例では、ネットワーク監視装置１０が、光信号伝送装置４のモニタユニット５からの機器監視情報を受信して、障害が発生した光ファイバ３を判定する例を示しているが、光ファイバ線路自動監視システム２０自身がモニタユニット５から機器監視情報を受信し、障害が発生した光ファイバ３を判定するようにしてもよい。
【００２２】
また、図２は、本発明による光ファイバ線路自動監視システムの構成例を示す図であり、光ファイバ線路自動監視システム２０の構成例を、ネットワーク監視装置１０の構成例と共に示したものであり、また、本発明に直接関係する部分のみを示したものである。
図２に示す構成例においては、ネットワーク監視装置１０と光ファイバ線路自動監視システム２０とは通信回線（専用回線や、ＩＳＤＮ回線等）７とルータ８を介して通信接続されており、ネットワーク監視装置１０から光ファイバ線路自動監視システム２０に対し、アラーム情報が送信される。
【００２３】
ネットワーク監視装置１０は、ネットワーク監視装置１０の全体を統括制御する制御部（ＣＰＵを含む）１１と処理プログラム部１２とで構成されている。ネットワーク監視装置１０内のモニタユニット信号受信部１３は、光ファイバ線路網６内の光信号伝送装置４に設備されたモニタユニット５からの機器監視情報を受信する処理を行う。アラーム信号送信部１５は、モニタユニット信号受信部１３により受信した機器監視情報を基に異常と判定された通信網（例えば光ファイバ線路１内の光ファイバ３）の障害発生情報をアラーム信号として光ファイバ線路自動監視システムに送信する処理を行う。
【００２４】
光ファイバ線路自動監視システム２０は、光ファイバ線路自動監視システム２０の全体を統括制御する制御部（ＣＰＵを含む）２１と、表示部２２と、処理プログラム部３０と、データベース４０とで構成されている。処理プログラム部３０中のアラーム信号受信部３１は、ネットワーク監視装置１０から、異常が発生した光ファイバ３の障害発生情報をアラーム信号として受信する処理を行う。試験対象光ファイバ選択部３２は、アラーム信号受信部３１によりアラーム信号を受信した場合に、異常が発生した光ファイバ３を試験対象となる光ファイバとして選択する。例えば、光スイッチ（例えば、図６に示す光スイッチ１２３を参照）を制御し、試験対象となる光ファイバ３を選択する。
【００２５】
光ファイバ試験部３３は、試験対象光ファイバ選択部３２により選択された光ファイバ３に対し、試験用の光パルスを注入しＯＴＤＲ波形を観測するための処理を行う。光ファイバ障害位置判定部３４は、光ファイバ試験部３３による試験結果を基に、光ファイバ３の障害位置を判定する。試験結果表示部３５は、光ファイバ３に対するＯＴＤＲ試験結果を表示部２２のモニタ画面上に表示する。異常発生位置表示部３６は、光ファイバ３のＯＴＤＲ試験結果から、障害発生位置を判定し、障害が発生した位置を表示部２２のモニタ画面上にマップ表示する。例えば、地図上に光ファイバ線路の経路と障害発生位置を表示する。また、当該位置の現況写真情報等も表示するようにもできる。また、障害発生位置の情報を、他の通信端末（例えば、保守作業者の携帯電話機等）に送信することもできる。
【００２６】
データベース４０は、光ファイバ線路網６における光ファイバ線路１の経路情報等の光ファイバ線路管理情報と、光ファイバ線路１の経路や光ファイバ３の障害発生位置をモニタ画面の地図上で表示する際に使用する地図情報等が記録されている。
【００２７】
なお、図２に示す構成例では、ネットワーク監視装置１０が、光信号伝送装置４のモニタユニット５からの機器監視情報を受信して、障害が発生した光ファイバ３を判定する例を示しているが、光ファイバ線路自動監視システム２０内にネットワーク監視装置１０の機能を取り込み、光ファイバ線路自動監視システム２０自身がモニタユニット５からの機器監視情報を受信し、障害が発生した光ファイバ３を判定するようにしてもよい。この場合の構成例について、次に説明する。
【００２８】
図３は、光ファイバ線路自動監視システム２０の他の構成例を示す図であり、光ファイバ線路の自動監視システム２０Ａ内の処理プログラム部３０Ａに、図２に示すネットワーク監視装置１０の機能を取り込んだ構成例を示している。
【００２９】
すなわち、図３に示す光ファイバ線路自動監視システム２０Ａ内の処理プログラム部３０Ａは、モニタユニット信号受信部１３が追加され、また、アラーム信号受信部３１（図２参照）が除去された構成となる。なお、各部の動作は、図２において同じ符号で示す各処理部と同様である。
【００３０】
また、図４は、本発明の光ファイバ線路自動監視システムにおける処理の流れを示すフローチャートであり、図２に示した光ファイバ線路自動監視システム２０における処理の流れをフローチャートで示したものである。以下、図４を参照して、その処理の流れについて説明する。
【００３１】
ネットワーク監視装置１０側では、光ファイバ線路網６内の各モニタユニット５から、中継増幅器や中継接続装置等の光信号伝送装置４の機器監視情報を受信する（ステップＳ１１）。
そして、モニタユニット５から受信した機器監視情報を基に、障害の発生を検知し（ステップＳ１２）、障害が発生している光ファイバ３についての情報を、アラーム信号として光ファイバ線路自動監視システム２０に送信する（ステップＳ１５）。
【００３２】
一方、光ファイバ線路自動監視システム２０側では、ネットワーク監視装置１０からアラーム信号を受信する（ステップＳ２１）。なお、ネットワーク監視装置１０からのアラーム信号の受信は、光ファイバ線路自動監視システム２０からネットワーク監視装置１０に対してアラーム信号送信要求を行うことにより受信するようにしてもよい。
【００３３】
そして、アラーム信号に含まれる障害発生情報を基に、障害が発生した光ファイバ３を特定し（ステップＳ２２）、特定した光ファイバ３を試験対象として選択し（ステップＳ２３）、ＯＴＤＲにより試験（測定）を行う（ステップＳ２４）。
【００３４】
それから、ＯＴＤＲによる試験結果を基に、光ファイバ３における障害発生位置を判定し（ステップＳ２５）、試験結果を出力する（ステップＳ２６）。この試験結果は、表示部２２のモニタ画面に表示する他、他の端末（例えば、保守作業者の保持する携帯通信端末等）へ送信するようにしてもよい。
【００３５】
また、図５は、図３に示す光ファイバ線路自動監視システム２０Ａの処理手順を示す図であり、図４に示すネットワーク監視装置１０側の処理手順と、光ファイバ線路自動監視システム２０側の処理手順とを合成した処理手順となる。以下、図５を参照して、その処理の流れについて説明する。
【００３６】
光ファイバ線路自動監視システム２０Ａでは、光ファイバ線路網６内の各モニタユニット５から、光信号伝送装置４の機器監視情報を受信する（ステップＳ３１）。
そして、モニタユニット５から受信した機器監視情報を基に、障害の発生を検知し（ステップＳ３２）、光ファイバ線路１に障害が発生しているかどうかを判定する（ステップＳ３３）。ステップＳ３３において、光ファイバ線路１に障害が発生していると判定された場合は、障害が発生している光ファイバ３を判定する（ステップＳ３４）。そして、特定した光ファイバ３を試験対象として選択し（ステップＳ３５）し、ＯＴＤＲにより試験（測定）を行う（ステップＳ３６）。
【００３７】
それから、ＯＴＤＲによる試験結果を基に、障害発生位置を判定し（ステップＳ３７）、試験結果を出力する（ステップＳ３８）。この試験結果は、表示部２２のモニタ画面に表示する他、他の端末（例えば、保守作業者の保持する携帯通信端末等）へ送信するようにしてもよい。
【００３８】
以上、本発明の実施の形態について説明したが、本発明による光ファイバ線路自動監視システム２０は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。すなわち、光ファイバ線路自動監視システム２０における、各処理は、ＣＰＵ等の中央演算処理装置がＲＯＭやＲＡＭ等の主記憶装置に上記プログラムを読み出して、情報の加工、演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
以上、本発明の実施の形態について説明したが、本発明の光ファイバ線路自動監視システムは、上述の図示例にのみ限定されるものではなく、本発明の要旨を逸脱しない範囲内において種々変更を加え得ることは勿論である。
【産業上の利用可能性】
【００４０】
本発明においては、ネットワーク監視装置で検出された光ファイバの障害発生情報を使用し、障害が発生している光ファイバを自動的に試験することにより、光ファイバの障害発生位置を迅速に特定することができるので、本発明は、光ファイバ線路自動監視システム、および自動監視方法等に有用である。
【図面の簡単な説明】
【００４１】
【図１】本発明による光ファイバ線路自動監視システムの概要を説明するための図ある。
【図２】本発明による光ファイバ線路自動監視システムの構成例を示す図である。
【図３】本発明による光ファイバ線路自動監視システムの他の構成例を示す図である。
【図４】図２に示す光ファイバ線路自動監視システムにおける処理の流れを示すフローチャートである。
【図５】図３に示す光ファイバ線路自動監視システムにおける処理の流れを示すフローチャートである。
【図６】従来の光ファイバ線路を監視する光線路監視システムの構成例を示す図である。
【図７】ＣＡＴＶ網の構成例を示す図である。
【符号の説明】
【００４２】
１・・・光ファイバ線路、２・・・光ファイバケーブル、３・・・光ファイバ、４・・・光信号伝送装置、５・・・モニタユニット、６・・・光ファイバ線路網、７・・・通信回線、８・・・ルータ、１０・・・ネットワーク監視装置、１１・・・制御部、１２・・・処理プログラム部、１３・・・モニタユニット信号受信部、１５・・・アラーム信号送信部、２０、２０Ａ・・・光ファイバ線路自動監視システム、２１・・・制御部、２２・・・表示部、３０、３０Ａ・・・処理プログラム部、３１・・・アラーム信号受信部、３２・・・試験対象光ファイバ選択部、３３・・・光ファイバ試験部、３４・・・光ファイバ障害位置判定部、３５・・・試験結果表示部、３６・・・異常発生位置表示部、４０・・・データベース、１００・・・通信回線
１１０・・・保守センタ、１１１・・・管理サーバ、１２０・・・光線路監視装置、１２１・・・コントローラ、１２２・・・ＯＴＤＲ試験装置、１２３・・・光スイッチ、１２４・・・カプラフィルタ、２００・・・ＣＡＴＶセンタ、２０１・・・放送波送出装置、２０２・・・ステータスモニタ装置、２０３・・・ヘッドエンド、２１０・・・ＣＡＴＶ網、２１１・・・同軸網
【図１】
2007071573.tif 000003
【図２】
2007071573.tif 000004
【図３】
2007071573.tif 000005
【図４】
2007071573.tif 000006
【図５】
2007071573.tif 000007
【図６】
2007071573.tif 000008
【図７】
2007071573.tif 000009